(57)【要約】【課題】進入口の周縁部と可動部材との間に遊技媒体が挟まることを好適に抑制できる遊技機を提供すること。【解決手段】遊技球Ｐが進入可能な大入賞口７ａと、大入賞口７ａを遊技球Ｐが進入し易い開放状態と進入不能または進入困難な閉鎖状態とに変化させるための大入賞口扉７ｂと、大入賞口７ａの周縁部において、大入賞口７ａが閉鎖状態に変化したときに大入賞口扉７ｂの先端縁部７ｈに対応する上縁部５０１ａから突出する突出部５０１Ａと、を備え、突出部５０１Ａは、上縁部５０１ａに沿って該上縁部５０１ａよりも短寸となるように設けられている（Ｌｂ１＜Ｌｂ２）。【選択図】図１７
2018175298.tif 000002
【特許請求の範囲】
【請求項１】
遊技が可能な遊技機であって、
遊技媒体が進入可能な進入口と、
前記進入口を遊技媒体が進入し易い第１状態と進入不能または進入困難な第２状態とに変化させるための可動部材と、
前記進入口の周縁部において、前記進入口が前記第２状態に変化したときに前記可動部材の先端縁部に対応する特定縁部から突出する突出部と、
を備え、
前記突出部は、前記特定縁部に沿って該特定縁部よりも短寸となるように設けられている
ことを特徴とする遊技機。
【発明の詳細な説明】
【技術分野】
【０００１】
本発明は、遊技が可能な遊技機に関する。
【背景技術】
【０００２】
遊技機の一例であるパチンコ遊技機等にあっては、遊技媒体が進入し易い第１状態と進入不能または進入困難な第２状態とに変化可能な可変入賞装置を備えたものがある。
【０００３】
この種の可変入賞装置を備える遊技機として、例えば、遊技盤面に遊技媒体が進入可能に設けられた入賞口と、該入賞口を開放する開放位置と該入賞口を閉鎖する閉鎖位置との間で動作可能な入賞口扉と、入賞口から進入した遊技媒体を排出口へ誘導する誘導部と、を備え、入賞口に進入した遊技媒体が閉鎖位置へ向けて動作する入賞口扉と誘導部との間に挟まれる（所謂、球噛みが発生する）ことがないようにスムーズに誘導できるようにしたもの等があった（例えば、特許文献１参照）。
【先行技術文献】
【特許文献】
【０００４】
【特許文献１】特開２０１３−１７４９５号公報
【発明の概要】
【発明が解決しようとする課題】
【０００５】
上記特許文献１に記載の遊技機にあっては、入賞口扉と誘導部との間に遊技媒体が挟まれることを抑制することはできるが、入賞口の周縁部と入賞口扉との間に遊技媒体が挟まれることを抑制することはできなかった。
【０００６】
本発明は、このような問題点に着目してなされたもので、進入口の周縁部と可動部材との間に遊技媒体が挟まることを好適に抑制できる遊技機を提供することを目的とする。
【課題を解決するための手段】
【０００７】
前記課題を解決するために、本発明の手段１の遊技機は、
遊技が可能な遊技機（例えば、パチンコ遊技機１）であって、
遊技媒体（例えば、遊技球Ｐ）が進入可能な進入口（例えば、大入賞口７ａ／第２始動入賞口６１等）と、
前記進入口を遊技媒体が進入し易い第１状態（例えば、図１０（Ａ）に示す開放状態／退避位置／図２１（Ａ）に示す開放状態）と進入不能または進入困難な第２状態（例えば、図１２に示す閉鎖状態／突出位置／図２１（Ｂ）に示す閉鎖状態）とに変化させるための可動部材（例えば、大入賞口扉７ｂ／可動板６２）と、
前記進入口の周縁部において、前記進入口が前記第２状態に変化したときに前記可動部材の先端縁部（例えば、先端縁部７ｈ／先端縁部６２ａ）に対応する特定縁部（例えば、上縁部５０１ａ／前縁部６１ａ）から突出する突出部（例えば、突出部５０１Ａ／突出部５１１Ａ／突出部５２１Ａ）と、
を備え、
前記突出部は、前記特定縁部に沿って該特定縁部よりも短寸となるように設けられている（例えば、突出部５０１Ａは、上縁部５０１ａの右端位置から左右方向の略中央位置よりもやや右側位置にかけて延設され、左右方向の幅寸法Ｌｂ１は、大入賞口７ａの上縁部５０１ａの左右方向の幅寸法Ｌｂ２よりも短寸に形成されている（Ｌｂ１＜Ｌｂ２）、図３参照。）
ことを特徴としている。
この特徴によれば、進入口の周縁部と可動部材との間に遊技媒体が挟まることを好適に防止できる。
【０００８】
本発明の手段２の遊技機は、手段１に記載の遊技機であって、
前記進入口（例えば、大入賞口７ａ／第２始動入賞口６１等）に向けて流下する遊技媒体は、前記特定縁部の一方側（例えば、上縁部５０１ａの左側／前縁部６１ａの左側）よりも高い割合で他方側（例えば、上縁部５０１ａの右側／前縁部６１ａの右側）から前記進入口へ進入し、
前記突出部は、前記特定縁部の他方側に設けられている（例えば、突出部５０１Ａは、大入賞口７ａの上縁部５０１ａの左側よりも高い割合で遊技球Ｐが入賞する大入賞口７ａの上縁部５０１ａの右側に配設されている。図１６（Ａ）参照。）
ことを特徴としている。
この特徴によれば、進入口の周縁部と可動部材との間に遊技媒体が挟まることを好適に防止できる。
【０００９】
本発明の手段３の遊技機は、手段１または２に記載の遊技機であって、
前記突出部（例えば、突出部５１１Ａ／突出部５２１Ａ）には、前記可動部材（例えば、大入賞口扉７ｂ／可動板６２）の先端縁部との間に挟まった遊技媒体の流下を促すための傾斜部が形成されている（例えば、変形例１における突出部５１１Ａは、該突出部５１１Ａの先端縁部が右端部から左端部にかけて漸次後方側に傾斜している。図１８参照。／突出部５２１Ａは、その背面が右側から左側にかけて漸次前方側（可動板６２から離れる方向に）に傾斜して延設されている。図２０参照。）
ことを特徴としている。
この特徴によれば、進入口の周縁部と可動部材との間に遊技媒体が挟まることを好適に防止できる。
【００１０】
本発明の手段４の遊技機は、手段１〜３のいずれかに記載の遊技機であって、
前記進入口（例えば、大入賞口７ａ）から進入した遊技媒体を誘導する誘導壁部（例えば、傾斜壁部７２ｂ）を備え、
前記突出部は、前記誘導壁部に対応する位置に設けられている（例えば、傾斜壁部７２ｂは、大入賞口７ａにおける右側端部（突出部５０１Ａに対応する位置）に配置されている。図１６（Ｂ）参照。）
ことを特徴としている。
この特徴によれば、進入口に余分な遊技球が進入することを抑制できる。
【００１１】
本発明の手段５の遊技機は、手段１〜４のいずれかに記載の遊技機であって、
前記進入口（例えば、大入賞口７ａ）は遊技盤面（例えば、遊技盤面２ａ）に沿うように形成され、
前記進入口よりも下方に、前記進入口とは異なる特定進入口（例えば、第２始動入賞口６１）に遊技媒体を誘導可能に設けられる第１誘導経路（例えば、第１誘導通路５０２）と、
前記進入口と前記第１誘導経路との間に、遊技媒体を誘導可能に設けられる第２誘導経路（例えば、第２誘導通路５０３）と、
を備え、
前記第２誘導経路は、前記突出部に対応する位置に設けられている（例えば、遊技領域１０を流下してきた遊技球Ｐを右側から左側に向けて誘導する第２誘導通路５０３が、大入賞口７ａの右側方から該大入賞口７ａの左右方向の略中央位置にかけて下方に傾斜するように延設されている。図３参照。）
ことを特徴としている。
この特徴によれば、突出部に衝突した遊技媒体が直接第１誘導経路に落下することで、特定進入口への遊技媒体の進入に影響が及ぶことを回避できる。
【００１２】
本発明の手段６の遊技機は、手段１〜５のいずれかに記載の遊技機であって、
駆動手段（例えば、ソレノイド７４、連結部材７５等）と、
前記駆動手段の動力を前記可動部材（例えば、大入賞口扉７ｂ）に伝達するために該可動部材に設けられた被伝達部（例えば、連結軸７８／連結軸７８１）に接触して力を付与することが可能な伝達部材（例えば、キャッチ部７６ｃ／伝達部材７６１）と、
を備え、
前記可動部材は、前記伝達部材により伝達された前記駆動手段の動力により、前記進入口が前記第１状態と前記第２状態とに変化するように軸部（例えば、回動軸７９Ｌ，７９Ｒ）を中心として回動可能であり、
前記可動部材の前記軸部を中心とする回動に応じて、前記被伝達部と前記伝達部材との接触部（例えば、接触点Ｐ１〜Ｐ５／接触点Ｐ１’，Ｐ３’）は変位するものであり、
前記進入口が前記第１状態から前記第２状態へ変化するときにおいて前記可動部材と前記進入口の周縁部（例えば、上縁部５０１ａ）との間に遊技媒体が挟まる可能性がある特定位置（例えば、図１０（Ｂ）に示す第１特定位置、図１１（Ａ）に示す第２特定位置、図１１（Ｂ）に示す第３特定位置／図１８（Ａ）（Ｂ）に示す特定位置／図２１（Ｂ）に示す特定位置）に前記可動部材があるときは、該特定位置とは異なる所定位置（例えば、図１０（Ａ）に示す開放位置／図２１（Ａ）に示す開放位置）に前記可動部材があるときと比較して前記接触部に作用する力の作用線（例えば、作用線Ｅ）と前記軸部とを結ぶ垂線の長さが短くなる（例えば、本実施例の大入賞口扉７ｂが開放位置から閉鎖位置の直前の位置に動作する際には、連結軸７８の中心軸が回動軸７９Ｒの中心軸Ｃと同じ高さに近づくように回動軸７９Ｒを中心として右側面視時計回りに回動するが、これに伴って接触点Ｐ２〜Ｐ４が漸次前方側（中心軸Ｃに近づく方向）に移動するため、漸次モーメントアームの長さが短くなる（Ｌ１＞Ｌ２＞Ｌ３＞Ｌ４）。図１０，図１１参照。／モーメントアームの長さは、寸法Ｌ１’よりも短い寸法Ｌ３’となっている（Ｌ１’＞Ｌ３’）。図２１参照）
ことを特徴としている。
この特徴によれば、進入口の周縁部と可動部材との間に遊技媒体が挟まることを好適に防止できる。
【００１３】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１４】
【図１】パチンコ遊技機を正面から見た正面図である。
【図２】主基板における回路構成の一例を示すブロック図である。
【図３】（Ａ）は特別可変入賞球装置の進入口が閉鎖状態であるときの入賞ユニットを斜め前から見た状態を示す斜視図、（Ｂ）は特別可変入賞球装置の進入口が開放状態であるときの入賞ユニットを斜め前から見た状態を示す斜視図である。
【図４】入賞ユニットの構造を斜め後から見た状態を示す斜視図である。
【図５】大入賞口扉の周辺構造を示す分解斜視図である。
【図６】（Ａ）は大入賞口扉及び伝達部材の構造を斜め前から見た状態を示す斜視図、（Ｂ）は大入賞口扉及び伝達部材の構造を斜め後から見た状態を示す斜視図である。
【図７】（Ａ）は大入賞口扉の閉鎖状態を示す斜視図、（Ｂ）は大入賞口扉の開放状態を示す斜視図である。
【図８】（Ａ）は従来の大入賞口扉が開放位置にあるときの状態を示す説明図、（Ｂ）は従来の大入賞口扉と突出部との間で球噛みが生じる可能性がある位置にあるときの状態を示す説明図である。
【図９】（Ａ）は従来の大入賞口扉と平坦部との間で球噛みが生じる可能性がある位置にあるときの状態を示す説明図、（Ｂ）は従来の大入賞口扉が閉塞位置に到達する直前の位置にある状態を示す説明図である。
【図１０】（Ａ）は本実施例の大入賞口扉が開放位置にあるときの状態を示す説明図、（Ｂ）は本実施例の大入賞口扉と突出部との間で球噛みが生じる可能性がある位置にあるときの状態を示す説明図である。
【図１１】（Ａ）は本実施例の大入賞口扉と平坦部との間で球噛みが生じる可能性がある位置にあるときの状態を示す説明図、（Ｂ）は本実施例の大入賞口扉が閉塞位置に到達する直前の位置にあるときの状態を示す説明図である。
【図１２】本実施例の大入賞口扉が閉鎖位置にあるときの状態を示す説明図である。
【図１３】（Ａ）は従来の大入賞口扉の各位置でのモーメントアームの長さを示すグラフ、（Ｂ）は本実施例の大入賞口扉の各位置でのモーメントアームの長さを示すグラフである。
【図１４】図３のＡ−Ａ断面図である。
【図１５】図３のＢ−Ｂ断面図である。
【図１６】（Ａ）は大入賞口扉と突出部との間で球噛みが生じた状態を示す正面図、（Ｂ）は大入賞口扉と突出部との間で球噛みが生じた状態を示す上面断面図、（Ｃ）はＣ−Ｃ断面図である。
【図１７】（Ａ）は大入賞口扉と平坦部との間で球噛みが解消された状態を示す正面図、（Ｂ）は大入賞口扉と平坦部との間で球噛みが解消された状態を示す上面断面図、（Ｃ）はＣ’−Ｃ’断面図である。
【図１８】（Ａ）は変形例１において大入賞口扉と突出部との間で球噛みが生じた状態を示す上面断面図、（Ｂ）は、は変形例１において大入賞口扉と平坦部との間で球噛みが解消された状態を示す上面断面図である。
【図１９】（Ａ）は変形例２における突出部及び可動部材を示す上面断面図、（Ｂ）はＤ−Ｄ断面図である。
【図２０】（Ａ）は変形例２において可動部材と突出部との間で球噛みが生じた状態を示す上面断面図、（Ｂ）は変形例２において可動部材と平坦部との間で球噛みが解消された状態を示す上面断面図である。
【図２１】（Ａ）は変形例３において大入賞口扉が開放位置にあるときの状態を示す説明図、（Ｂ）変形例３において大入賞口扉と平坦部との間で球噛みが生じた状態を示す説明図である。
【発明を実施するための形態】
【００１５】
本発明に係る遊技機を実施するための形態を実施例に基づいて以下に説明する。
【実施例】
【００１６】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００１７】
図１は、本実施例におけるパチンコ遊技機の正面図であり、主要部材の配置レイアウトを示す。パチンコ遊技機（以下、遊技機と略記する場合がある）１は、大別して、遊技盤面２ａを構成する遊技盤（ゲージ盤）２と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００１８】
図１に示すように、遊技盤２は、アクリル樹脂、ポリカーボネート樹脂、メタクリル樹脂等の透光性を有する合成樹脂材にて正面見略四角形状に形成され、前面である遊技盤面２ａに障害釘（図示略）やガイドレール２ｂ等が設けられた盤面板２００（図１４及び図１５参照）と、該盤面板の背面側に一体的に取付けられるスペーサ部材２５０（図１４及び図１５参照）と、から主に構成されている。尚、遊技盤２はベニヤ板にて構成されていてもよい。
【００１９】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２０】
遊技盤２における遊技領域１０の中央付近には、演出表示装置５（メイン液晶とも言う）が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２１】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２２】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。遊技盤２の背面と演出表示装置５との間には、演出表示装置５の上方に退避する待機位置と、演出表示装置５の前方の演出位置と、に動作可能な可動体（図示略）が設けられている。
【００２３】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２４】
ここで、特図ゲームに対応した変動表示の保留は、普通入賞球装置６Ａが形成する第１始動入賞口や、普通可変入賞球装置６Ｂが形成する第２始動入賞口６１を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２５】
第１特別図柄表示器４Ａ及び第２特別図柄表示器４Ｂの右方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２６】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板６２を有する普通電動役物を備え、始動領域（第２始動領域）としての第２始動入賞口６１を形成する。
【００２７】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口６１を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００２８】
図１に示すように、普通入賞球装置６Ａの右方位置には、特別可変入賞球装置７が設けられている。特別可変入賞球装置７は、図２に示す大入賞口扉用となるソレノイド７４によって開閉駆動される大入賞口扉７ｂによって開放状態と閉鎖状態とに変化する特定領域としての大入賞口７ａを形成する。このように、特定領域としての大入賞口７ａは、遊技球が通過（進入）しやすく遊技者にとって有利な開放状態と、遊技球が通過（進入）できない（または通過（進入）しにくい）遊技者にとって不利な閉鎖状態とに変化する。
【００２９】
大入賞口７ａを通過（進入）した遊技球が図２に示すカウントスイッチ２３によって検出されたことに基づき、所定個数（例えば１５個）の遊技球が賞球として払い出される。したがって、特別可変入賞球装置７において大入賞口７ａが開放状態となれば、その大入賞口７ａに遊技球が進入可能となり、遊技者にとって有利な第１の状態となる。その一方で、特別可変入賞球装置７において大入賞口７ａが閉鎖状態となれば、大入賞口７ａに遊技球を通過（進入）させて賞球を得ることが不可能または困難になり、遊技者にとって不利な第２の状態となる。尚、普通入賞球装置６Ａ、普通可変入賞球装置６Ｂ及び特別可変入賞球装置７は、遊技盤２における右側下部に固定される入賞ユニット５００に組込まれている。
【００３０】
第２保留表示器２５Ｂの右方位置には、普通図柄表示器２０が設けられている。普通図柄表示器２０の右方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３１】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取り込まれるアウト口が設けられている。遊技機用枠３の左右上部位置には、効果音等を再生出力するためのスピーカ８Ｌ，８Ｒが設けられており、更に遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３２】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット３５Ａにて検出され、上皿９０を形成する部材に設けられたプッシュボタン３１Ｂに対してなされた押下動作はプッシュセンサ３５Ｂにて検出される。
【００３３】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３４】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３５】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３６】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３７】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００３８】
図２に示すように、演出制御基板１２は、主基板１１とは独立したサブ側の制御基板であり、中継基板１５を介して主基板１１から伝送された制御信号を受信して、スピーカ８Ｌ，８Ｒ、演出用ＬＥＤ９、演出表示装置５といった演出用の電気部品による演出動作を制御するための各種回路や、スティックコントローラ３１Ａ、プッシュボタン３１Ｂといった電気部品の動作を検出するための各種回路が搭載されている。
【００３９】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。一例として、演出制御基板１２では、演出制御用ＣＰＵ１２０がＲＯＭ１２１から読み出した演出制御用のプログラムを実行することにより、演出用の電気部品による演出動作を制御するための処理が実行される。また、ＲＯＭ１２１には、演出制御用のプログラムの他にも、演出動作を制御するために用いられる各種のデータテーブルなどが格納されている。
【００４０】
次に、パチンコ遊技機１における遊技の進行を概略的に説明する。パチンコ遊技機１では、遊技領域１０に設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの可動板６２が遊技領域１０から退避する開放制御が行われ、所定時間が経過すると遊技領域１０に突出する閉鎖位置に戻る通常開放制御が行われる。
【００４１】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口６１に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００４２】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００４３】
大当り遊技状態においては、特別可変入賞球装置７の大入賞口扉７ｂが、所定の上限時間（例えば２９秒間や０．１秒間）が経過するまでの期間あるいは所定個数（例えば９個）の入賞球が発生するまでの期間にて、大入賞口７ａを開放状態とする。これにより、特別可変入賞球装置７を遊技者にとって有利な第１の状態（開放状態）とするラウンドが実行される。
【００４４】
ラウンドの実行中に大入賞口７ａを開放状態とした大入賞口扉７ｂは、遊技盤２の表面を落下する遊技球を受け止め、その後に大入賞口７ａを閉鎖状態とすることにより、特別可変入賞球装置７を遊技者にとって不利な第２の状態（閉鎖状態）に変化させて、１回のラウンドを終了させる。大入賞口７ａの開放サイクルであるラウンドは、その実行回数が所定の上限回数（例えば「１６」など）に達するまで、繰り返し実行可能となっている。
【００４５】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。リーチ状態とは、演出表示装置５の表示領域にて停止表示された演出図柄が大当り組合せの一部を構成しているときに未だ停止表示されていない演出図柄については変動が継続している表示状態、あるいは、全部または一部の演出図柄が大当り組合せの全部または一部を構成しながら同期して変動している表示状態のことである。
【００４６】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００４７】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００４８】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動板６２の移動制御を行う移動制御時間を通常状態のときよりも長くする制御、その移動回数を通常状態のときよりも増加させる制御といった、遊技球が第２始動入賞口６１を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００４９】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００５０】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口７ａの開閉動作設定などを、所定の手順で行うために各種の処理が選択されて実行される。
【００５１】
特別図柄プロセス処理において、ＣＰＵ１０３は、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００５２】
また、ＣＰＵ１０３は、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵ１０３は、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００５３】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口７ａを開閉させる処理を行う大当り開放前処理、大当り開放中処理、大当り開放後処理、大当り終了処理を行う。
【００５４】
次に、演出制御基板１２の動作を説明する。先ず、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００５５】
演出制御プロセス処理では、演出表示装置５の第１保留記憶表示エリア５Ｄ及び第２保留記憶表示エリア５Ｕでの保留記憶表示を、保留記憶バッファの記憶内容に応じた表示に更新する保留表示更新処理を実行する。次いで、演出制御プロセスフラグの値に応じて、遊技制御用マイクロコンピュータ１００から変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、演出表示装置５の表示制御、スピーカ８Ｌ，８Ｒからの音出力、演出用ＬＥＤ９の発光及び可動体（図示略）の駆動制御等を行う演出図柄変動中処理、演出図柄の変動を停止し表示結果（停止図柄）を導出表示する制御を行う演出図柄変動停止処理を行う。
【００５６】
大当り表示処理においては、変動時間の終了後、演出表示装置５に大当りの発生を報知するための画面を表示する制御を行う。大当り遊技中処理においては、大当り遊技中の制御を行う。大当り終了演出処理においては、演出表示装置５において、大当り遊技状態が終了したことを遊技者に報知する表示制御を行う。
【００５７】
このように演出制御用ＣＰＵ１２０は、遊技制御用マイクロコンピュータ１００から送信された演出制御コマンド（制御情報）に基づいて、演出図柄の変動表示制御や予告演出といった遊技に関連する各種演出を実行可能とされている。
【００５８】
尚、演出制御用ＣＰＵ１２０が演出図柄の変動表示中において実行する予告演出としては、例えば、大当りの可能性を示唆する大当り予告演出や、リーチになるか否かを示唆するリーチ予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。
【００５９】
本実施例では、以下に説明する可動体（図示略）による演出や、可動体（図示略）、スピーカ８Ｌ，８Ｒ、及び演出用ＬＥＤ９等による複合演出や、遊技者がスティックコントローラ３１Ａまたはプッシュボタン３１Ｂを操作したことを条件に実行される操作演出といった各種演出が各種予告として実行可能とされている。
【００６０】
次に、図３〜図７に基づいて、入賞ユニット５００の構造について説明する。図３は、（Ａ）は特別可変入賞球装置の進入口が閉鎖状態であるときの入賞ユニットを斜め前から見た状態を示す斜視図、（Ｂ）は特別可変入賞球装置の進入口が開放状態であるときの入賞ユニットを斜め前から見た状態を示す斜視図である。図４は、入賞ユニットの構造を斜め後から見た状態を示す斜視図である。図５は、大入賞口扉の周辺構造を示す分解斜視図である。図６は、（Ａ）は大入賞口扉及び伝達部材の構造を斜め前から見た状態を示す斜視図、（Ｂ）は大入賞口扉及び伝達部材の構造を斜め後から見た状態を示す斜視図である。図７は、（Ａ）は大入賞口扉の閉鎖状態を示す斜視図、（Ｂ）は大入賞口扉の開放状態を示す斜視図である。
【００６１】
図３及び図４に示すように、入賞ユニット５００は、遊技盤２に形成された開口２ｄ（図１４及び図１５参照）を閉鎖するように該遊技盤２の前面側から嵌合可能に形成されたベース部材５０１を有し、該ベース部材５０１の左側には、普通入賞球装置６Ａが組付けられており、該ベース部材５０１の右側上部には、特別可変入賞球装置７が組付けられているとともに、その下方位置には、普通可変入賞球装置６Ｂが組付けられている。
【００６２】
ベース部材５０１は、遊技盤面２ａに沿うように配置され、該ベース部材５０１の前面上部には、遊技球Ｐが進入可能な大きさを有する横長長方形状の大入賞口７ａが設けられ、大入賞口扉７ｂにより開閉可能とされている。また、大入賞口７ａの下方位置には、遊技領域１０を流下してきた遊技球Ｐを右側から左側に向けて誘導する第１誘導通路５０２が、大入賞口７ａの右側方から該大入賞口７ａの左端部にかけて下方に傾斜するように延設されており、該第１誘導通路５０２の左側には、平面視略長方形をなす第２始動入賞口６１が形成され、可動板６２（図１９及び図２０参照）により開閉可能とされている。すなわち、第１誘導通路５０２は、大入賞口７ａとは異なる第２始動入賞口６１（本実施例における特定進入口）に遊技球Ｐを誘導可能に設けられている。また、第１誘導通路５０２の上方（大入賞口７ａと第２始動入賞口６１との間）には、遊技領域１０を流下してきた遊技球Ｐを右側から左側に向けて誘導する第２誘導通路５０３が、大入賞口７ａの右側方から該大入賞口７ａの左右方向の略中央位置にかけて下方に傾斜するように延設されている。
【００６３】
大入賞口７ａの周縁部における上縁部５０１ａには、前方側に突出する突出部５０１Ａが該大入賞口７ａの上縁部５０１ａに沿って延設されている。この突出部５０１Ａは、上縁部５０１ａの右端位置から左右方向の略中央位置よりもやや右側位置にかけて延設され、左右方向の幅寸法Ｌｂ１は、大入賞口７ａの上縁部５０１ａの左右方向の幅寸法Ｌｂ２よりも短寸に形成されている（Ｌｂ１＜Ｌｂ２）。したがって、大入賞口７ａの周縁部における上縁部５０１ａには、突出部５０１Ａが設けられる部分（図１４参照）と、突出部５０１Ａが設けられない部分（平坦部５０１Ｂ、図１５参照）と、が形成される。つまり、大入賞口７ａの上縁部５０１ａにおいて突出部５０１Ａと平坦部５０１Ｂとの間に前後方向に段差５０１ｂが形成される。
【００６４】
また、突出部５０１Ａは、大入賞口７ａの上縁部５０１ａの右側に寄せて配設されている。具体的には、図１に示すように、本実施例では、遊技領域１０は、該遊技領域１０の略中央位置に配設された演出表示装置５の周囲を囲うセンター飾り枠５１を挟んで左右に分かれており、遊技球Ｐは、演出表示装置５の左側の第１経路Ｋ１または右側の第２経路Ｋ２のいずれかを流下するようになっている。特別可変入賞球装置７は、遊技領域１０における演出表示装置５の右下に配設されているため、操作ハンドルの操作により遊技球Ｐを強めに打ち出す（所謂右打ちする）ことにより第２経路Ｋ２を流下する遊技球Ｐが大入賞口７ａに進入可能に設けられている。
【００６５】
第２経路Ｋ２を流下して演出表示装置５の右下方に設けられた構造物６００に到達した遊技球Ｐの大半は、該構造物６００の上面６００ａ（図１６（Ａ）参照）に形成された誘導通路を左側に流下することにより、該構造物６００の左斜め下方位置にある大入賞口７ａに入賞（進入）可能に誘導されるようになっている。また、第２経路Ｋ２を流下する一部の遊技球Ｐは、構造物６００の右側（構造物６００とガイドレール２ｂとの間）を流下して第１誘導通路５０２または第２誘導通路５０３に右側方から進入することにより、第１誘導通路５０２及び第２誘導通路５０３の左斜め下方位置にある第２始動入賞口６１に入賞（進入）可能に誘導されるようになっている。つまり、第２経路Ｋ２を流下する遊技球Ｐの大半は、大入賞口７ａの右側方から入賞可能に誘導されるため、突出部５０１Ａは、大入賞口７ａの上縁部５０１ａの左側よりも高い割合で遊技球Ｐが入賞する大入賞口７ａの上縁部５０１ａの右側に配設されている。
【００６６】
図３及び図４に示すように、特別可変入賞球装置７は、前面に大入賞口７ａに連通する開口が形成された箱状の本体７１にて構成されている。本体７１は、ベース部材５０１に設けられた大入賞口７ａの背面に固定される断面略上向きコ字状の基部７１ａと、基部７１ａにネジＮ１により固定される断面略下向きコ字状のカバー部７１ｂと、から構成されている。本体７１内には、大入賞口７ａに進入した遊技球Ｐをカウントスイッチ２３に向けて誘導する誘導壁部７２ａ（図５参照）により区画された大入賞通路７２が形成されるとともに、大入賞口７ａを開閉する大入賞口扉７ｂの開閉駆動機構７３が組付けられている。
【００６７】
図５に示すように、開閉駆動機構７３は、基部７１ａの右側に固設されたソレノイド７４と、ソレノイド７４のプランジャ７４ａの先端に取付けられた連結部材７５と、前後方向を向く回動軸７６ａを中心として基部７１ａに対して回動可能に設けられた駆動力伝達部材７６と、大入賞口扉７ｂと、から構成されている。尚、ソレノイド７４と連結部材７５との間、つまりプランジャ７４ａの外周には、バネ７７が配設されており、連結部材７５を左側へ押圧する方向に付勢している。
【００６８】
駆動力伝達部材７６は、後側に突出した連結軸７６ｂを備え、該連結軸７６ｂを連結部材７５に形成された上下方向を向く長孔７５ａに挿入するとともに、前端に形成された二股状のキャッチ部７６ｃを大入賞口扉７ｂに突設された連結軸７８に係合することで、大入賞口扉７ｂと連結部材７５とを連結している。
【００６９】
図５及び図６に示すように、大入賞口扉７ｂは、大入賞口７ａを閉塞可能な大きさに形成された前壁部７ｃと、前壁部７ｃの左右両側に設けられる側面視略三角形状の側壁部７ｄ，７ｅと、を備え、側壁部７ｄ，７ｅの下辺には、左右方向を向く回動軸７９Ｌ，７９Ｒが左右側に突設されており、回動軸７９Ｌ，７９Ｒを中心として回動可能となるように基部７１ａに設けられている。また、前壁部７ｃの背面における左右両側には、該前壁部７ｃの背面上を転動する遊技球Ｐを該前壁部７ｃにおける左右方向の中央部に誘導する誘導部７ｆ，７ｇが形成されている（図６（Ｂ）参照）。
【００７０】
また、右側の側壁部７ｅには、前述した連結軸７８が左右方向を向いて右側に突出している。この連結軸７８は、側面視略三角形状を成している。言い換えれば、連結軸７８は、断面視形状が非円形をなす柱状に構成されている。尚、連結軸７８の上側の周面７８ａは、緩やかな曲率で断面視円弧状を成す。
【００７１】
図７（Ａ）に示すように、ソレノイド７４がオフ状態（非励磁状態）のときには、バネ７７の付勢力により連結部材７５が左側へ押圧され、これにより駆動力伝達部材７６が回動軸７６ａを中心として左側（正面視反時計回り）に傾動し、キャッチ部７６ｃの上部が連結軸７８の周面７８ａ（図６参照）に接触して押し下げるため、大入賞口扉７ｂが回動軸７９Ｌ，７９Ｒを中心として後方向（右側面視時計回り）に回動し、前壁部７ｃが大入賞口７ａを閉鎖する閉鎖位置に配置される。尚、キャッチ部７６ｃの上部及び下部における連結軸７８の周面７８ａとの接触部は、前後方向に向けて略水平に延設されている。
【００７２】
図７（Ｂ）に示すように、ソレノイド７４がオン状態（励磁状態）のときには、バネ７７の付勢力に抗してプランジャ７４ａが右側へ移動し、連結部材７５が右側へ引っ張られ、これにより駆動力伝達部材７６が回動軸７６ａを中心として右側（正面視時計回り）に傾動し、キャッチ部７６ｃの上部が連結軸７８の上側の周面７８ａから離間するため、大入賞口扉７ｂの重量バランスにより大入賞口扉７ｂが回動軸７９Ｌ，７９Ｒを中心として前方向（右側面視反時計回り）に回動し、前壁部７ｃが大入賞口７ａを最大に開放する開放位置に配置される。詳しくは、大入賞口扉７ｂは、閉鎖位置において重心が回動軸７９Ｌ，７９Ｒよりも前方側に位置しているため、キャッチ部７６ｃの上部と連結軸７８の上側の周面７８ａとの接触が解除されると、回動軸７９Ｌ，７９Ｒを中心として前方向に回動するようになる。
【００７３】
尚、本実施例では、キャッチ部７６ｃの上部と連結軸７８の上側の周面７８ａとの接触を解除することにより大入賞口扉７ｂの重量バランスによって大入賞口扉７ｂが開放位置に配置される形態を例示したが、本発明はこれに限定されるものではなく、例えば、キャッチ部７６ｃの下部が連結軸７８の下側の周面を押し上げることにより大入賞口扉７ｂが開放位置に配置されるようになっていてもよい。
【００７４】
図４に戻って、普通可変入賞球装置６Ｂは、ベース部材５０１の背面側に固定されたソレノイド８１と、ソレノイド８１のプランジャ８１ａの先端に取付けられた連結部材６３と、上下方向を向く回動軸６４を中心としてベース部材５０１に対して回動可能に設けられた駆動力伝達部材６５と、前述した可動板６２と、から主に構成されている。詳しくは、ソレノイド８１は、ベース部材５０１の背面側に固定される第１ベース部６６上に固定され、駆動力伝達部材６５及び可動板６２は、ベース部材５０１の背面側に固定される第２ベース部６７上に取付けられており、第１ベース部６６及び第２ベース部６７に渡って配置される第１カバー部６８により可動板６２の上方及びソレノイド８１の側方が被覆され、第１カバー部６８の上方にネジＮ２により固定される第２カバー部６９によりソレノイド８１及び駆動力伝達部材６５の上方が被覆されている。尚、ソレノイド８１と連結部材６３との間、つまりプランジャ８１ａの外周には、図示しないバネが配設されており、連結部材７５を後側へ押圧する方向に付勢している。
【００７５】
駆動力伝達部材６５は、一端が連結部材６３に対し回動可能に接続され、他端が可動板６２に対し回動可能に接続されており、可動板６２は、ベース部材５０１に設けられた壁部により前後方向に移動可能にガイドされている。この普通可変入賞球装置６Ｂは、ソレノイド８１をオフ状態（非励磁状態）にすることにより、可動板６２が前方側に移動して第２始動入賞口６１を閉鎖する（図９（Ａ）の二点鎖線部分参照）とともに、ソレノイド８１をオン状態（励磁状態）にすることにより、可動板６２が後方側に移動して第２始動入賞口６１を開放する（図９（Ａ）の点線部分参照）。
【００７６】
次に、大入賞口扉７ｂが開放位置から閉鎖位置に動作する形態を図８〜図１３に基づいて説明する。図８は、（Ａ）は従来の大入賞口扉が開放位置にあるときの状態を示す説明図、（Ｂ）は従来の大入賞口扉と突出部との間で球噛みが生じる可能性がある位置にあるときの状態を示す説明図である。図９は、（Ａ）は従来の大入賞口扉と平坦部との間で球噛みが生じる可能性がある位置にあるときの状態を示す説明図、（Ｂ）は従来の大入賞口扉が閉塞位置に到達する直前の位置にある状態を示す説明図である。図１０は、（Ａ）は本実施例の大入賞口扉が開放位置にあるときの状態を示す説明図、（Ｂ）は本実施例の大入賞口扉と突出部との間で球噛みが生じる可能性がある位置にあるときの状態を示す説明図である。図１１は、（Ａ）は本実施例の大入賞口扉と平坦部との間で球噛みが生じる可能性がある位置にあるときの状態を示す説明図、（Ｂ）は本実施例の大入賞口扉が閉塞位置に到達する直前の位置にあるときの状態を示す説明図である。図１２は、本実施例の大入賞口扉が閉鎖位置にあるときの状態を示す説明図である。図１３は、（Ａ）は従来の大入賞口扉の各位置でのモーメントアームの長さを示すグラフ、（Ｂ）は本実施例の大入賞口扉の各位置でのモーメントアームの長さを示すグラフである。尚、図８〜図１２においては、回動軸７９Ｒのみ図示して説明し、回動軸７９Ｌの図示及び説明を省略する。
【００７７】
先ず、従来の大入賞口扉７ｂ’が開放位置から閉鎖位置に動作する形態を説明する。尚、ここでいう従来の大入賞口扉７ｂ’とは、連結軸７８’の断面視形状が円形を成す円柱状に構成されているものを指し、従来の大入賞口扉７ｂ’を本実施例における突出部５０１Ａ及び平坦部５０１Ｂが形成された入賞ユニット５００に適用した形態を説明する。
【００７８】
図８（Ａ）及び図１３（Ａ）に示すように、大入賞口扉７ｂ’が開放位置にあるとき（図１３（Ａ）におけるタイミングｔａ１）には、連結軸７８’の中心上部（接触点Ｐａ１）にキャッチ部７６ｃの上部が接触している。大入賞口扉７ｂ’が開放位置にある状態から閉鎖位置に向けて回動させる際には、キャッチ部７６ｃが接触点Ｐａ１から垂直下方に力を与える（特に図８（Ａ）の右図参照）。このときには、接触点Ｐａ１に作用する力の作用線Ｅと、回動軸７９Ｒの中心軸Ｃと、を結ぶ垂線の長さ、つまりモーメントアームの長さが寸法Ｌａ１となっている。
【００７９】
図８（Ｂ）及び図１３（Ａ）に示すように、大入賞口扉７ｂ’が該大入賞口扉７ｂ’と突出部５０１Ａとの間で遊技球Ｐの球噛みが生じる可能性がある位置にあるとき（図１３（Ａ）におけるタイミングｔａ２）において、連結軸７８’は、タイミングｔａ１のときに比べて回動軸７９Ｒを中心として右側面視時計回りに回動しているため、タイミングｔａ２におけるキャッチ部７６ｃと連結軸７８’との接触点Ｐａ２は、接触点Ｐａ１に比べ連結軸７８’の外周面に沿って右側面視反時計回り摺動するとともに、接触点Ｐａ１よりも後方側に配置されることとなる。このときには、モーメントアームの長さは、寸法Ｌａ１よりも長い寸法Ｌａ２となっている（Ｌａ１＜Ｌａ２）。
【００８０】
図９（Ａ）及び図１３（Ａ）に示すように、大入賞口扉７ｂ’が該大入賞口扉７ｂ’と平坦部５０１Ｂとの間で球噛みが生じる可能性がある位置にあるとき（図１３（Ａ）におけるタイミングｔａ３）におけるキャッチ部７６ｃと連結軸７８’との接触点Ｐａ３は、接触点Ｐａ１に比べ連結軸７８’の外周面に沿って更に右側面視反時計回り摺動するとともに、接触点Ｐａ１よりも後方側に配置されることとなる。このときには、モーメントアームの長さは、寸法Ｌａ１よりも長い寸法Ｌａ３となっている（Ｌａ１＜Ｌａ３）。尚、接触点Ｐａ３は、接触点Ｐａ２に比べても連結軸７８’の外周面に沿って更に右側面視反時計回り摺動するとともに、接触点Ｐａ２よりも後方側に配置されており、モーメントアームの寸法Ｌａ３は、寸法Ｌａ２よりも長くなっている（Ｌａ２＜Ｌａ３）。
【００８１】
図９（Ｂ）及び図１３（Ａ）に示すように、大入賞口扉７ｂ’が閉塞位置に到達する直前の位置にあるとき（図１３（Ａ）におけるタイミングｔａ４）におけるキャッチ部７６ｃと連結軸７８’との接触点Ｐａ４は、接触点Ｐａ１に比べ連結軸７８’の外周面に沿って更に右側面視反時計回り摺動するとともに、接触点Ｐａ１よりも後方側に配置されることとなる。このときには、モーメントアームの長さは、寸法Ｌａ１よりも長い寸法Ｌａ４となっている（Ｌａ１＜Ｌａ４）。尚、接触点Ｐａ４は、接触点Ｐａ２，Ｐａ３に比べても連結軸７８’の外周面に沿って更に右側面視反時計回り摺動するとともに、接触点Ｐａ２，Ｐａ３よりも後方側に配置されており、モーメントアームの寸法Ｌａ４は、寸法Ｌａ２，Ｌａ３よりも長くなっている（Ｌａ２，Ｌａ３＜Ｌａ４）。更に尚、大入賞口扉７ｂ’が閉塞位置に到達する直前の位置にあるときには、流下する遊技球Ｐにより大入賞口扉７ｂ’が開放位置方向に押し広げられて大入賞口扉７ｂ’と平坦部５０１Ｂとの間で球噛みが生じる可能性がある。
【００８２】
このように、従来の大入賞口扉７ｂ’が開放位置から閉鎖位置の直前の位置に動作する際には、連結軸７８’の中心軸が回動軸７９Ｒの中心軸Ｃと同じ高さに近づくように回動軸７９Ｒを中心として右側面視時計回りに回動し、これに伴って接触点Ｐａ２〜Ｐａ４が漸次後方側（中心軸Ｃから離れる方向）に移動するため、漸次モーメントアームの長さが長くなる（Ｌａ１＜Ｌａ２＜Ｌａ３＜Ｌａ４）。すなわち、大入賞口扉７ｂ’が開放位置から閉鎖位置の直前の位置に向けて動作するにしたがって、大入賞口扉７ｂ’のトルク（大入賞口扉７ｂ’の閉まる力）が大きくなっている。
【００８３】
尚、図１３（Ａ）に示すように、従来の大入賞口扉７ｂ’が閉鎖位置の直前の位置から閉鎖位置に向けて動作するとき（タイミングｔａ５）には、連結軸７８’の中心軸が回動軸７９Ｒの中心軸Ｃの高さ位置よりも低い位置に配置されるため（図示略）、モーメントアームの長さがタイミングｔａ４のときの寸法Ｌａ４よりも短い寸法Ｌａ５となる。
【００８４】
次いで、本実施例の大入賞口扉７ｂが開放位置から閉鎖位置に動作する形態を説明する。図１０（Ａ）及び図１３（Ｂ）に示すように、大入賞口扉７ｂが開放位置にあるとき（図１３（Ｂ）におけるタイミングｔ１）には、側面視略三角形状を成す連結軸７８における後端側角部（接触点Ｐ１）にキャッチ部７６ｃの上部が接触している。大入賞口扉７ｂが開放位置にある状態から閉鎖位置に向けて回動させる際には、キャッチ部７６ｃが接触点Ｐ１から垂直下方に力を与える（特に図１０（Ａ）の右図参照）。このときには、接触点Ｐ１に作用する力の作用線Ｅと、回動軸７９Ｒの中心軸Ｃと、を結ぶ垂線の長さ、つまりモーメントアームの長さが寸法Ｌ１となっている。
【００８５】
図１０（Ｂ）及び図１３（Ｂ）に示すように、大入賞口扉７ｂが該大入賞口扉７ｂと突出部５０１Ａとの間で遊技球Ｐの球噛みが生じる可能性がある位置にあるとき（図１３（Ｂ）におけるタイミングｔ２（第１特定位置））において、連結軸７８は、タイミングｔ１のときに比べて回動軸７９Ｒを中心として右側面視時計回りに回動しているため、タイミングｔ２におけるキャッチ部７６ｃと連結軸７８との接触点Ｐ２は、接触点Ｐ１に比べ連結軸７８の上側の周面７８ａに沿って右側面視反時計回り摺動するとともに、接触点Ｐ１よりも前方側に配置されることとなる。このときには、モーメントアームの長さは、寸法Ｌ１よりも短い寸法Ｌ２となっている（Ｌ１＞Ｌ２）。具体的には、図１３（Ｂ）に示すように、モーメントアームの長さは、タイミングｔ１のときの寸法Ｌ１よりも一旦長くなった後、タイミングｔ２までに寸法Ｌ１よりも短くなるように変化する。
【００８６】
図１１（Ａ）及び図１３（Ｂ）に示すように、大入賞口扉７ｂが該大入賞口扉７ｂと平坦部５０１Ｂとの間で球噛みが生じる可能性がある位置にあるとき（図１３（Ｂ）におけるタイミングｔ３（第２特定位置））におけるキャッチ部７６ｃと連結軸７８との接触点Ｐ３は、接触点Ｐａ１に比べ連結軸７８の周面７８ａに沿って更に右側面視反時計回り摺動するとともに、接触点Ｐ１よりも前方側に配置されることとなる。このときには、モーメントアームの長さは、寸法Ｌ１よりも短い寸法Ｌ３となっている（Ｌ１＞Ｌ３）。尚、接触点Ｐ３は、接触点Ｐ２に比べても連結軸７８の周面７８ａに沿って更に右側面視反時計回り摺動するとともに、接触点Ｐ２よりも前方側に配置されており、モーメントアームの寸法Ｌ３は、寸法Ｌ２よりも短くなっている（Ｌ２＞Ｌ３）。
【００８７】
図１１（Ｂ）及び図１３（Ｂ）に示すように、大入賞口扉７ｂが閉塞位置に到達する直前の位置にあるとき（図１３（Ｂ）におけるタイミングｔ４（第３特定位置））におけるキャッチ部７６ｃと連結軸７８との接触点Ｐａ４は、接触点Ｐ１に比べ連結軸７８の外周面に沿って更に右側面視反時計回り摺動するとともに、接触点Ｐ１よりも前方側に配置されることとなる。このときには、モーメントアームの長さは、寸法Ｌ１よりも長い寸法Ｌ４となっている（Ｌ１＞Ｌ４）。また、タイミングｔ４においては、連結軸７８における前側角部にキャッチ部７６ｃの上部が接触している。尚、接触点Ｐ４は、接触点Ｐ２，Ｐ３に比べても連結軸７８の周面７８ａに沿って更に右側面視反時計回り摺動するとともに、接触点Ｐ２，Ｐ３よりも前方側に配置されており、モーメントアームの寸法Ｌ４は、寸法Ｌ２，Ｌ３よりも短くなっている（Ｌ２，Ｌ３＞Ｌ４）。
【００８８】
このように、本実施例の大入賞口扉７ｂが開放位置から閉鎖位置の直前の位置に動作する際には、連結軸７８の中心軸が回動軸７９Ｒの中心軸Ｃと同じ高さに近づくように回動軸７９Ｒを中心として右側面視時計回りに回動するが、これに伴って接触点Ｐ２〜Ｐ４が漸次前方側（中心軸Ｃに近づく方向）に移動するため、漸次モーメントアームの長さが短くなる（Ｌ１＞Ｌ２＞Ｌ３＞Ｌ４）。すなわち、大入賞口扉７ｂが開放位置から閉鎖位置の直前の位置に向けて動作するにしたがって、大入賞口扉７ｂのトルク（大入賞口扉７ｂの閉まる力）が小さくなっている。尚、大入賞口扉７ｂが開放位置にあるとき（図１０（Ａ）参照）から閉鎖位置の直前の位置にあるとき（図１１（Ｂ）参照）までの範囲が、大入賞口７ａに遊技球Ｐが進入可能となっている。
【００８９】
図１２及び図１３（Ｂ）に示すように、大入賞口扉７ｂが閉鎖位置に動作したとき（タイミングｔ５）における接触点Ｐ５は、連結軸７８における前側角部がキャッチ部７６ｃの上部下面に沿って後方側に摺動し、タイミングｔ４に比べて後方側に配置されることとなるため、モーメントアームの長さがタイミングｔ４のときの寸法Ｌ４よりも長い寸法Ｌ５となる。これによれば、大入賞口扉７ｂが閉鎖位置にある状態から変化し難くなる（大入賞口扉７ｂが開放し難くなる）。
【００９０】
このように、本実施例の大入賞口扉７ｂは、大入賞口扉７ｂと突出部５０１Ａまたは平坦部５０１Ｂとの間で球噛みが生じる可能性がある特定タイミング（タイミングｔ２，ｔ３，ｔ４）におけるモーメントアームの長さ（寸法Ｌ２，Ｌ３，Ｌ４）は、大入賞口扉７ｂが開放位置にある所定タイミング（タイミングｔ１）よりも短くなっている。つまり、特定タイミングにおける大入賞口扉７ｂの閉まる力は、所定タイミングにおける大入賞口扉７ｂの閉まる力よりも小さくなっており、従来の大入賞口扉７ｂ’のように特定タイミングにおける大入賞口扉７ｂ’の閉まる力が所定タイミングにおける大入賞口扉７ｂ’の閉まる力よりも大きい形態に比べて球噛みが生じにくくなる。
【００９１】
次に、実際に球噛みが生じた場合の形態について図１４〜図１７に基づいて説明する。図１４は、図３のＡ−Ａ断面図である。図１５は、図３のＢ−Ｂ断面図である。図１６は、（Ａ）は大入賞口扉と突出部との間で球噛みが生じた状態を示す正面図、（Ｂ）は大入賞口扉と突出部との間で球噛みが生じた状態を示す上面断面図、（Ｃ）はＣ−Ｃ断面図である。図１７は、（Ａ）は大入賞口扉と平坦部との間で球噛みが解消された状態を示す正面図、（Ｂ）は大入賞口扉と平坦部との間で球噛みが解消された状態を示す上面断面図、（Ｃ）はＣ’−Ｃ’断面図である。
【００９２】
図１４、図１５及び図１７に示すように、特別可変入賞球装置７の本体７１内には、基部７１ａ、カバー部７１ｂ、誘導壁部７２ａにより区画された大入賞通路７２が形成されており、大入賞口扉７ｂが開放位置にある場合、遊技球Ｐが大入賞口７ａを介して大入賞通路７２内に流入する（図１７参照）。また、大入賞通路７２の左側においては、カウントスイッチ２３の前側、つまり、大入賞口７ａ側には基部７１ａの前壁部７１ｃとカバー部７１ｂの前壁部７１ｄとが設けられており、大入賞口７ａの左側から進入した遊技球Ｐがカウントスイッチ２３の右側から流入するように誘導する。
【００９３】
一方、大入賞通路７２の右側においては、後左側に傾斜する傾斜壁部７２ｂが設けられており、大入賞口７ａの一端側（右側）から流入した遊技球Ｐを、大入賞口７ａの他端側（左側）のカウントスイッチ２３へスムーズに誘導できるようにしている。すなわち、カウントスイッチ２３から遠い大入賞口７ａの右側から進入した遊技球Ｐがカウントスイッチ２３に到達する時間が長くなり、例えば、大当り遊技状態の各ラウンドの終了条件となる所定個数目（例えば、９個目）の入賞が遅れて所謂オーバー入賞が発生しやすくなることで、出球数等が設計値と大きく異なってしまうこと等を抑制できる。
【００９４】
しかしこの場合、大入賞口７ａの右側から進入した遊技球Ｐを素早く左側に誘導するために、傾斜壁部７２ｂの前端を極力大入賞口７ａに近づけること好ましいが、このようにすると、大入賞口７ａの閉鎖時に傾斜壁部７２ｂと大入賞口扉７ｂとの間に遊技球Ｐが挟まって閉鎖が遅れ、その間に余分な遊技球Ｐが進入しやすくなることがある。
【００９５】
そこで、本実施例では、大入賞口７ａから進入した遊技球Ｐを検出するカウントスイッチ２３に誘導する傾斜壁部７２ｂを備え、突出部５０１Ａは、傾斜壁部７２ｂに対応する位置に設けられていることで、大入賞口扉７ｂと傾斜壁部７２ｂとの間に遊技球Ｐが挟まることによって閉鎖されずに大入賞口７ａの上縁部５０１ａと大入賞口扉７ｂの先端縁部７ｈとの間に隙間が生じている場合、突出部５０１Ａにより遊技球Ｐがガラス窓５０ａ側に弾かれることで、大入賞口７ａの上縁部５０１ａと大入賞口扉７ｂの先端縁部７ｈとの間の隙間に進入しにくくなるため、余分な遊技球Ｐが進入することを抑制できる。
【００９６】
また、大入賞口扉７ｂは、閉鎖位置において、回動軸７９Ｌ，７９Ｒがある下縁部は大入賞口７ａよりも後側に退避した位置にあり、上縁部（先端縁部７ｈ）は大入賞口７ａよりもやや前側に突出した位置にある。このようにすることで、閉鎖位置からより早く開放位置へ回動させることができる。例えば、右打ちした際に、大入賞口７ａにおいて多くの遊技球Ｐが通過する右側上部には突出部５０１Ａが形成されていることで、右斜め上方から流下してくる遊技球Ｐはガラス窓５０ａ側に弾かれるため、閉鎖状態において閉鎖位置にある大入賞口扉７ｂの先端縁部７ｈに遊技球Ｐが接触して開放してしまうことを防止できる。
【００９７】
また、ベース部材５０１における大入賞口７ａの下方には、前後に貫通する孔部５０１Ｃが形成されており、孔部５０１Ｃを閉塞するようにアクリルなどから形成される透光板５０４が取付けられており、透光板５０４の背面側には装飾装置５０５が配設されている。装飾装置５０５は、例えば、ＬＥＤ基板などを内蔵しており、該ＬＥＤ基板のＬＥＤを発光させることにより遊技者側を装飾することができるようになっている。
【００９８】
図１６（Ａ）に示すように、入賞ユニット５００の右側上方（遊技盤２）には、流下する遊技球Ｐを大入賞口７ａ側に誘導する構造物６００や釘６０１Ａ〜６０１Ｆが配設されている。具体的には、構造物６００は、正面視三角形状を成し、上面６００ａが左斜め下方向に傾斜して形成されており、上面６００ａには、遊技球Ｐを大入賞口７ａ側に誘導する。釘６０１Ａ，６０１Ｂは、大入賞口７ａに向けて構造物６００から左斜め下方向に遊技球Ｐを誘導するように並んで配設されている。つまり、構造物６００及び釘６０１Ａ，６０１Ｂは、遊技球Ｐを大入賞口７ａ側に誘導する誘導通路を構成する。
【００９９】
また、釘６０１Ｃは、突出部５０１Ａの左右方向中央部から上方に離間して配設されており、釘６０１Ｄ〜６０１Ｆは、釘６０１Ｃから寸法Ｌｃ１ずつ左側に離間するように水平方向に並んで設けられている。遊技球Ｐの直径Ｄは約１１ｍｍとされており、寸法Ｌｃ１は、直径Ｄよりも幅広の約１２ｍｍとされている。尚、釘６０１Ｂと釘６０１Ｃとの間も寸法Ｌｃ１左右方向に離間している。したがって、遊技球Ｐは、釘６０１Ｂ〜６０１Ｆにおける隣接する釘同士の間を通過することができるようになっている。
【０１００】
第２経路Ｋ２を流下する遊技球Ｐの大半は、構造物６００及び釘６０１Ａ，６０１Ｂに誘導され、釘６０１Ｂと釘６０１Ｃとの間を通過して大入賞口７ａの右側方（突出部５０１Ａ側）から入賞可能に誘導され、構造物６００よりも左側に流下した遊技球Ｐは、釘６０１Ｂ〜６０１Ｆにおける隣接する釘同士の間を通過して大入賞口７ａの右端部よりも左側の位置から入賞可能に誘導される。つまり、大入賞口７ａに向けて流下する遊技球Ｐは、大入賞口７ａの左端部側よりも高い割合（例えば、約９０％など）で右端部側から大入賞口７ａへ入賞可能に流下する。
【０１０１】
尚、本実施例では、大入賞口７ａに進入する遊技球Ｐの約９０％は右端部側から進入するが、中央や左端部側からも進入可能な形態を例示したが、本発明はこれに限定されるものではなく、上記割合は種々に変更可能である。また、遊技球Ｐは１００％の割合で大入賞口７ａの右端部側（突出部５０１Ａ側）から進入するようにしてもよい。
【０１０２】
図１６に示すように、大入賞口扉７ｂが閉鎖位置に移動するときに、タイミングによっては、右上方から落下してくる遊技球Ｐが大入賞口扉７ｂと突出部５０１Ａとの間で挟持されてしまう（所謂球噛みが発生する）ことがある。特に、構造物６００により誘導される遊技球Ｐの大半は、大入賞口７ａの前右側を多く流下するようになっていることで、大入賞口扉７ｂと平坦部５０１Ｂとの間で挟持されることに比べて、大入賞口扉７ｂと突出部５０１Ａとの間で挟持される可能性が高い。尚、以下では、大入賞口７ａの右側に誘導される遊技球Ｐが大入賞口扉７ｂと突出部５０１Ａとの間で挟持される形態を説明する。
【０１０３】
遊技球Ｐは、大入賞口扉７ｂが該遊技球Ｐの中心よりも下側に当接した際（例えば、図１６（Ｃ）に示すように、大入賞口扉７ｂと遊技球Ｐとの第１接触点と、突出部５０１Ａと遊技球Ｐとの第２接触点とを結ぶ直線が遊技球Ｐの中心よりやや右側を通過する状態など、遊技球Ｐの半分が大入賞口扉７ｂと突出部５０１Ａとの間に進入した状態）大入賞口扉７ｂと突出部５０１Ａとの間で挟持されること（所謂球噛みが発生すること）がある。遊技球Ｐが大入賞口扉７ｂと突出部５０１Ａとの間で挟持された状態において、遊技球Ｐは、その背面側が該遊技球Ｐの中心よりも上側の位置で突出部５０１Ａの下縁部に接触しており、その前面側が該遊技球Ｐの中心よりも下側の位置で大入賞口扉７ｂの先端縁部７ｈに接触している。
【０１０４】
図１６（Ａ）に示すように、遊技球Ｐは大入賞口７ａの右斜め上方から左斜め下側に向けて流下してくる。つまり、大入賞口７ａの上縁部５０１ａに対し斜めに交差するように進入してくるため、流下する勢いにより、突出部５０１Ａと大入賞口扉７ｂの先端縁部７ｈとに接触した状態を保ちながら、左側へ向けて転動する。
【０１０５】
図１７に示すように、遊技球Ｐが突出部５０１Ａを越えて平坦部５０１Ｂ側に移動すると、遊技球Ｐは、大入賞口扉７ｂと突出部５０１Ａとの間での狭持が解消される。具体的には、大入賞口扉７ｂと突出部５０１Ａとの間に遊技球Ｐが挟まっても、該遊技球Ｐが左側に転動して突出部５０１Ａがなくなったとき、遊技球Ｐと大入賞口扉７ｂとの接触状態は維持されるが、大入賞口７ａの上縁部５０１ａとの接触が解除された瞬間に遊技球Ｐは自重により大入賞口扉７ｂの背面に沿って後下方側に流下することになる。よって、大入賞口扉７ｂがさらに閉鎖位置側に回動しても、遊技球Ｐは上縁部５０１ａの下方に流下してしまっているため、平坦部５０１Ｂとの間に遊技球Ｐが挟まることがないため、大入賞口扉７ｂと突出部５０１Ａとの間での狭持が解消され、大入賞通路７２内に流入し、カウントスイッチ２３を通過するように誘導される。
【０１０６】
次に、本発明の変形例１について図１８に基づいて説明する。図１８は、（Ａ）は変形例１において大入賞口扉と突出部との間で球噛みが生じた状態を示す上面断面図、（Ｂ）は、は変形例１において大入賞口扉と平坦部との間で球噛みが解消された状態を示す上面断面図である。
【０１０７】
図１８に示すように、変形例１における突出部５１１Ａは、該突出部５１１Ａの先端縁部が右端部から左端部にかけて漸次後方側に傾斜している。よって、大入賞口扉７ｂと突出部５１１Ａとの間で狭持された遊技球Ｐは、大入賞口扉７ｂと突出部５１１Ａとの前後幅が大きくなる左側に向けて遊技球Ｐが流下しやすくなるため、大入賞口扉７ｂと突出部５１１Ａとの間での遊技球Ｐの狭持を即座に解消することができる。このように、突出部５１１Ａには、大入賞口扉７ｂの先端縁部７ｈとの間に挟まった遊技球Ｐの流下を促すための傾斜部が形成されているため、大入賞口７ａに対し遊技球Ｐが進入する際における上縁部５０１ａに対する傾斜角度が大きい場合でも、大入賞口７ａの周縁部と大入賞口扉７ｂとの間に遊技球Ｐが挟まることを好適に防止できる。
【０１０８】
尚、本変形例１では、突出部５１１Ａにおける大入賞口扉７ｂの先端縁部７ｈとの間に挟まった遊技球Ｐの流下を促すための傾斜部が、突出部５１１Ａの右端部から左端部にかけて漸次後方側に傾斜している形態を例示したが、本発明はこれに限定されるものではなく、所定の方向に遊技球Ｐが流下しやすくなるように傾斜部が延設されていればよく、例えば、突出部の右端部から左端部にかけて低位となるように左右方向に傾斜していてもよい。
【０１０９】
次に、本発明の変形例２について図１９及び図２０に基づいて説明する。図１９は、（Ａ）は変形例２における突出部及び可動部材を示す上面断面図、（Ｂ）はＤ−Ｄ断面図である。図２０は、（Ａ）は変形例２において可動部材と突出部との間で球噛みが生じた状態を示す上面断面図、（Ｂ）は変形例２において可動部材と平坦部との間で球噛みが解消された状態を示す上面断面図である。
【０１１０】
図１９に示されるように、本変形例２の可動部材は、第２始動入賞口６１を開閉する可動板６２である。可動板６２は、前後にスライド移動することにより、遊技領域１０に突出する突出位置となる閉鎖状態と遊技領域１０から退避する退避位置となる開放状態とに変化する。また、可動板６２の先端縁部６２ａは、右側から左側にかけて漸次後方側に傾斜して延設されている。
【０１１１】
また、第２始動入賞口６１の周縁部において、突出位置にある可動板６２の先端縁部６２ａが対応する前縁部６１ａには、後方側に突出する突出部５２１Ａが該前縁部６１ａに沿って左右方向に延設されている。また、突出部５２１Ａは、その背面が右側から左側にかけて漸次前方側（可動板６２から離れる方向に）に傾斜して延設されている。尚、第２始動入賞口６１の前縁部６１ａは、第２始動入賞口６１を通過した遊技球Ｐを第２始動口スイッチ２２Ｂ（図２参照）に向けて誘導する誘導通路６２１を構成する誘導通路構成部材６２０の前壁部６２０ａに設けられている。
【０１１２】
図２０（Ａ）に示すように、可動板６２が突出位置に移動するとき、タイミングによっては、右上方の第１誘導通路５０２または第２誘導通路５０３から第２始動入賞口６１に落下してくる遊技球Ｐが可動板６２と突出部５２１Ａとの間で狭持されてしまうことがある。
【０１１３】
図２０（Ｂ）に示すように、可動板６２と突出部５２１Ａとの間で遊技球Ｐが狭持されたときには、遊技球Ｐが流下する勢いにより、前後が可動板６２と突出部５２１Ａとに接触した状態を保ちながら左側へ転動する。このとき、可動板６２の先端縁部６２ａと突出部５２１Ａの背面との間隔は、左側に向けて幅広となっているため、左側に向けて遊技球Ｐが転動しやすい。そして、遊技球Ｐが左側に転動する途中で突出部５２１Ａがなくなる（遊技球Ｐが平坦部５２１Ｂに配置される）ため、突出部５２１Ａと平坦部５２１Ｂとの段差５２１ｂを越えたときに、可動板６２と突出部５２１Ａとの間での遊技球Ｐの狭持が解消される。
【０１１４】
このように、本実施例では、遊技球Ｐが進入可能な進入口として、大当り遊技状態において閉鎖状態から開放状態に変化可能な特別可変入賞球装置７の大入賞口７ａを適用した形態を例示したが、本発明はこれに限定されるものではなく、進入口は、進入口を遊技球が進入し易い第１状態と進入不能または進入困難な第２状態とに変化させるための可動部材を有している可変入賞装置であれば、普通可変入賞球装置６Ｂの第２始動入賞口６１や、始動入賞口以外の他の進入口（例えば、始動入賞に基づいて第２状態から第１状態に変化可能な可変入賞口や、演出球が進入可能な進入口）等にも適用可能である。
【０１１５】
次に、本発明の変形例３について図２１に基づいて説明する。図２１は、（Ａ）は変形例３において大入賞口扉が開放位置にあるときの状態を示す説明図、（Ｂ）変形例３において大入賞口扉と平坦部との間で球噛みが生じた状態を示す説明図である。
【０１１６】
図２１に示すように、本変形例３の大入賞口扉７ｂは、連結軸７８１が断面視形状が円形を成す円柱状に構成されている。また、連結軸７８１に駆動力を伝える伝達部材７６１は、側面視縦長矩形状に形成されており、連結軸７８１を挿入可能な縦長のスリット７６１ａが形成されている。また、伝達部材７６１の背面側には、前後方向に動作するプランジャ７４１を有するソレノイド（図示略）が配設されており、プランジャ７４１は伝達部材７６１に接続されている。
【０１１７】
図２１（Ａ）に示すように、大入賞口扉７ｂが開放位置にあるときには、連結軸７８１の中心軸から略水平方向前側に位置する部分（接触点Ｐ１’）にスリット７６１ａの前辺が接触している。大入賞口扉７ｂが開放位置にある状態から閉鎖位置に向けて回動させる際には、伝達部材７６１により接触点Ｐ１’に水平方向後側に力を与える（特に図２１（Ａ）の右図参照）。このときには、接触点Ｐ１’に作用する力の作用線Ｅと、回動軸７９Ｒの中心軸Ｃと、を結ぶ垂線の長さ、つまりモーメントアームの長さが寸法Ｌ１’となっている。
【０１１８】
図２１（Ｂ）に示すように、大入賞口扉７ｂが該大入賞口扉７ｂと突出部５０１Ａとの間で遊技球Ｐの球噛みが生じる可能性がある位置にあるとき（図２１（Ｂ）の左図における実線部分）において、連結軸７８１は、大入賞口扉７ｂが開放位置にあるときに比べて回動軸７９Ｒを中心として右側面視時計回りに回動しているため、伝達部材７６１と連結軸７８１との接触点Ｐ３’は、接触点Ｐ１’に比べ下方側に配置されることとなる。このときには、モーメントアームの長さは、寸法Ｌ１’よりも短い寸法Ｌ３’となっている（Ｌ１’＞Ｌ３’）。尚、大入賞口扉７ｂが閉鎖位置にあるとき（図２１（Ｂ）の左図における二点鎖線部分）には、接触点が接触点Ｐ３’よりもさらに下方側に配置される。すなわち、大入賞口扉７ｂが開放位置から閉鎖位置の直前の位置に向けて動作するにしたがって、大入賞口扉７ｂのトルク（大入賞口扉７ｂの閉まる力）が小さくなっているため、大入賞口扉７ｂと大入賞口７ａの上縁部５０１ａとの間で遊技球Ｐが狭持されることを抑制できる。
【０１１９】
このように、本発明は、被伝達部材に対して上下方向に力が作用することに限られず、大入賞口扉７ｂを回動軸７９Ｌ，７９Ｒを中心として回動させることができ、且つ球噛みが生じる特定タイミングでのモーメントアームが、大入賞口扉７ｂが開放位置にあるときのモーメントアームよりも短くなっているものであればよく、変形例３のように前後方向から力が作用してもよいし、斜め方向等に力が作用してもよく、自由に変更することができる。
【０１２０】
以上説明したように、本発明の実施例としてのパチンコ遊技機１にあっては、遊技球Ｐが進入可能な進入口（例えば、大入賞口７ａ／第２始動入賞口６１等）と、前記進入口を遊技球Ｐが進入し易い第１状態（例えば、図１０（Ａ）に示す開放状態／図２１（Ａ）に示す開放状態）と進入不能または進入困難な第２状態（例えば、図１２に示す閉鎖状態）とに変化させるための可動部材（例えば、大入賞口扉７ｂ／可動板６２）と、前記進入口の周縁部において、前記進入口が前記第２状態に変化したときに前記可動部材の先端縁部（例えば、先端縁部７ｈ／先端縁部６２ａ）に対応する特定縁部（例えば、上縁部５０１ａ／前縁部６１ａ）から突出する突出部（例えば、突出部５０１Ａ／突出部５１１Ａ／突出部５２１Ａ）と、を備え、前記突出部は、前記特定縁部に沿って該特定縁部よりも短寸となるように設けられている（例えば、突出部５０１Ａは、上縁部５０１ａの右端位置から左右方向の略中央位置よりもやや右側位置にかけて延設され、左右方向の幅寸法Ｌｂ１は、大入賞口７ａの上縁部５０１ａの左右方向の幅寸法Ｌｂ２よりも短寸に形成されている（Ｌｂ１＜Ｌｂ２）、図３参照）。
【０１２１】
このようにすることで、突出部５０１Ａと大入賞口扉７ｂとの間に遊技球Ｐが挟まっても突出部５０１Ａが途中でなくなるので、大入賞口７ａの周縁部と大入賞口扉７ｂとの間に遊技球Ｐが挟まることを好適に防止できる。具体的には、突出部５０１Ａの幅寸法Ｌｂ１は、大入賞口７ａの上縁部５０１ａの左右方向の幅寸法Ｌｂ２より短寸であるため、大入賞口扉７ｂと突出部５０１Ａとの間に遊技球Ｐが挟まっても、該遊技球Ｐが大入賞口７ａに進入してきた勢いにより左側に転動する途中で突出部５０１Ａがなくなる（遊技球Ｐが平坦部５０１Ｂに配置される）ので、突出部５０１Ａと平坦部５０１Ｂとの段差５０１ｂを越えたときに、大入賞口扉７ｂと突出部５０１Ａとの間での遊技球Ｐの狭持が解消され、且つ平坦部５０１Ｂと遊技球Ｐとの間で隙間が形成されることで該遊技球Ｐが落下するため、大入賞口７ａの上縁部５０１ａと大入賞口扉７ｂとでの球噛みが解消される。球噛みが解消された遊技球Ｐは、大入賞口扉７ｂの背面に沿って後下方側に転動し、大入賞通路７２内に流入する。
【０１２２】
さらに、遊技球Ｐが突出部５０１Ａと平坦部５０１Ｂとの段差５０１ｂを越えたときに、該遊技球Ｐが落下する前に大入賞口扉７ｂと平坦部５０１Ｂとの間に遊技球Ｐが挟まっても、遊技球Ｐが段差５０１ｂを越えたときに生じる衝撃により、大入賞口７ａの上縁部５０１ａと大入賞口扉７ｂとでの球噛みが解消されやすくなる。
【０１２３】
また、遊技球Ｐが大入賞口扉７ｂと平坦部５０１Ｂとの間で挟まれたとしても、遊技球Ｐが大入賞口扉７ｂの背面に沿って後下方側に転動することによって、大入賞口扉７ｂが遊技球Ｐの中心よりも上側に当接するようになり、大入賞口扉７ｂが該遊技球Ｐを上方から下方に向けて押し出すように作用するため、球噛みが生じない。
【０１２４】
また、遊技球Ｐが大入賞口扉７ｂと突出部５０１Ａとの間で狭持された状態にあっては、モーメントアームの長さが、開放位置における寸法Ｌ１よりも短い寸法Ｌ２（図１０（Ｂ）参照）となっており、大入賞口扉７ｂの閉まる力（トルク）が小さくなっていることで、後続の遊技球Ｐが大入賞口扉７ｂに衝突することにより開放方向に回動しやすいため、後続の遊技球Ｐが衝突することにより大入賞口扉７ｂと突出部５０１Ａとの間での球噛みが解消されやすくなる。
【０１２５】
さらに、遊技球Ｐが大入賞口扉７ｂと突出部５０１Ａとの間で狭持された状態にあっては、大入賞口扉７ｂと平坦部５０１Ｂとの間には、大入賞口扉７ｂと突出部５０１Ａとの間よりも大きな隙間が形成されるため、後続の遊技球Ｐが大入賞口７ａの左側から流入してきた場合に、後続の遊技球Ｐが大入賞口扉７ｂに衝突することにより該大入賞口扉７ｂが開放方向に回動するため、大入賞口扉７ｂと突出部５０１Ａとの間での球噛みが解消されやすくなる。
【０１２６】
尚、前記実施例では、左右方向に延びる回動軸７９Ｌ，７９Ｒを中心として回動する大入賞口扉７ｂを例示したが、本発明はこれに限定されるものでなく、大入賞口７ａを第１状態と第２状態とに変化させることが可能であり、且つ第２状態のときに大入賞口扉７ｂの先端縁部７ｈが対応する（近接して向き合う）大入賞口７ａの周縁部における特定縁部に突出部が設けられるものであればよく、例えば、大入賞口扉７ｂは、前後方向、上下方向、斜め方向に延びる回動軸を中心として回動するようになっていてもよい。
【０１２７】
また、前記変形例２では、可動部材としての可動板６２が遊技盤２側に設けられ、前方側に突出する突出位置と、後方側に退避する退避位置と、にスライド移動可能な形態を例示したが、本発明はこれに限定されるものではなく、可動板６２の先端縁部６２ａと対向する側に突出部が設けられていればよく、例えば、可動板６２がガラス窓５０ａ側に設けられ、後方側に突出する突出位置と、前方側に退避する退避位置と、にスライド移動可能となっていてもよいし、左右方向にスライド移動可能となっていてもよい。
【０１２８】
また、大入賞口７ａに向けて流下する遊技球Ｐは、大入賞口７ａの上縁部５０１ａの左側よりも高い割合で右側から大入賞口７ａへ進入し、突出部５０１Ａは、大入賞口７ａの上縁部５０１ａの右側に設けられている。このように遊技球Ｐが流入する頻度が高い大入賞口７ａの上縁部５０１ａの右側に突出部５０１Ａを設けたことで、突出部５０１Ａと大入賞口扉７ｂとの間に遊技球Ｐが挟まっても突出部５０１Ａと平坦部５０１Ｂとの段差５０１ｂを越えたときに大入賞口扉７ｂと突出部５０１Ａとの間での遊技球Ｐの狭持が解消されるようになるため、大入賞口７ａの周縁部と大入賞口扉７ｂとの間に遊技球Ｐが挟まることを好適に防止できる。
【０１２９】
また、大当り遊技状態以外では、大入賞口扉７ｂが閉鎖位置にある状態が維持されている。また、例えば、時短制御状態にあっては、右打ちすることにより第２経路Ｋ２を流下する遊技球Ｐが第２始動入賞口６１に進入可能となっているとともに、前述のように第２経路Ｋ２を流下する遊技球Ｐの大半は、構造物６００及び釘６０１Ａ，６０１Ｂに誘導され、釘６０１Ｂと釘６０１Ｃとの間を通過して大入賞口７ａの右側方を通過することとなる。本実施例では、大入賞口７ａの上縁部５０１ａの右側に突出部５０１Ａが設けられていることから、遊技球Ｐが閉鎖位置にある大入賞口扉７ｂに接触することが阻害されるため、大入賞口７ａが第１状態に変化してしまうことを抑制できる。
【０１３０】
尚、前記実施例では、遊技球Ｐが流入する頻度が高い大入賞口７ａの上縁部５０１ａの右側に突出部５０１Ａが設けられる形態を例示したが、本発明はこれに限定されるものではなく、大入賞口７ａの上縁部５０１ａ（特定縁部）よりも短寸に設けられていれば、上縁部５０１ａのいずれの位置（例えば、左右方向の中央位置や左端側など）に設けられていてもよい。さらに尚、突出部は特定縁部に沿って所定間隔離間して複数設けられていてもよい。この場合、隣接する突出部の間隔は、遊技球Ｐが突出部を越えたときに該突出部に隣接する突出部に干渉しない幅に設けられることが好ましい。
【０１３１】
また、前記変形例２においては、突出部５１１Ａには、大入賞口扉７ｂの先端縁部７ｈとの間に挟まった遊技球Ｐの流下を促すための傾斜部が形成されている。このようにすることで、大入賞口扉７ｂと突出部５１１Ａとの間で狭持された遊技球Ｐは、大入賞口扉７ｂと突出部５１１Ａとの前後幅が大きくなる左側に向けて遊技球Ｐが流下しやすくなるため、大入賞口扉７ｂと突出部５１１Ａとの間での遊技球Ｐの狭持を即座に解消することができるので、大入賞口７ａの周縁部と大入賞口扉７ｂとの間に遊技球Ｐが挟まることを好適に防止できる。
【０１３２】
また、大入賞口７ａから進入した遊技球Ｐを検出するカウントスイッチ２３に誘導する傾斜壁部７２ｂを備え、突出部５０１Ａは、傾斜壁部７２ｂに対応する位置に設けられている。このようにすることで、大入賞口扉７ｂと傾斜壁部７２ｂとの間に遊技球Ｐが挟まることによって閉鎖されずに大入賞口７ａの上縁部５０１ａと大入賞口扉７ｂの先端縁部７ｈとの間に隙間が生じている場合、突出部５０１Ａにより遊技球Ｐがガラス窓５０ａ側に弾かれることで、大入賞口７ａの上縁部５０１ａと大入賞口扉７ｂの先端縁部７ｈとの間に進入されにくくなるため、余分な遊技球Ｐが進入することを抑制できる。
【０１３３】
また、大入賞口７ａは遊技盤面２ａに沿うように形成され、大入賞口７ａよりも下方に、大入賞口７ａとは異なる第２始動入賞口６１に遊技球Ｐを誘導可能に設けられる第１誘導通路５０２と、大入賞口７ａと第１誘導通路５０２との間に、遊技球Ｐを誘導可能に設けられる第２誘導通路５０３と、を備え、第２誘導通路５０３は、突出部５０１Ａに対応する位置に設けられている。このようにすることで、突出部５０１Ａに衝突した遊技球Ｐが直接第１誘導通路５０２に落下することで、第２始動入賞口６１への遊技球Ｐの進入に影響が及ぶことを回避できる。
【０１３４】
具体的には、第２誘導通路５０３は、大入賞口７ａの右側方から該大入賞口７ａの左右方向の略中央位置にかけて下方に傾斜するように延設されており、突出部５０１Ａに衝突した遊技球Ｐは、先ず突出部５０１Ａに近い第２誘導通路５０３に落下して勢いが減衰され、該第２誘導通路５０３により第１誘導通路５０２または直接第２始動入賞口６１に誘導することとなるため、例えば、突出部５０１Ａに衝突した遊技球Ｐが直接第１誘導通路５０２に落下して跳ねることで第２始動入賞口６１への遊技球Ｐの進入に影響が及ぶことを回避できる。また、突出部５０１Ａに衝突した遊技球Ｐが直接第１誘導通路５０２または第２始動入賞口６１に落下することで破損することが抑制される。
【０１３５】
尚、前記実施例では、大入賞口７ａと第１誘導通路５０２との間に第２誘導通路５０３が１つ設けられる形態を例示したが、本発明はこれに限定されるものではなく、例えば、第２誘導通路が大入賞口７ａと第１誘導通路５０２との間に複数設けられていてもよい。この場合、第２誘導通路を左下方向（第２始動入賞口６１側）に向けて低位となるように階段状に配置されていてもよい。
【０１３６】
また、前記実施例では、突出部５０１Ａには、縦断面視において上方から下方に向けて漸次前側に傾斜する傾斜面が形成されることで、上方から流下してくる遊技球Ｐをスムーズにガラス窓５０ａ側へ誘導できる形態を例示したが、本発明はこれに限定されるものではなく、突出部５０１Ａの形状は任意に変形可能である。
【０１３７】
また、駆動手段（例えば、ソレノイド７４、連結部材７５等）と、前記駆動手段の動力を大入賞口扉７ｂに伝達するために大入賞口扉７ｂに設けられた被伝達部（例えば、連結軸７８／連結軸７８１）に接触して力を付与することが可能な伝達部材（例えば、キャッチ部７６ｃ／伝達部材７６１）と、を備え、大入賞口扉７ｂは、前記伝達部材により伝達された前記駆動手段の動力により、前記進入口が前記第１状態と前記第２状態とに変化するように回動軸７９Ｌ，７９Ｒを中心として回動可能であり、大入賞口扉７ｂの回動軸７９Ｌ，７９Ｒを中心とする回動に応じて、前記被伝達部と前記伝達部材との接触部（例えば、接触点Ｐ１〜Ｐ５／接触点Ｐ１’，Ｐ３’）は変位するものであり、前記進入口が前記第１状態から前記第２状態へ変化するときにおいて大入賞口扉７ｂと前記進入口の周縁部（例えば、上縁部５０１ａ）との間に遊技球Ｐが挟まる可能性がある特定位置（例えば、図１０（Ｂ）に示す第１特定位置、図１１（Ａ）に示す第２特定位置、図１１（Ｂ）に示す第３特定位置／図１８（Ａ）（Ｂ）に示す特定位置／図２０（Ａ）に示す特定位置／図２１（Ｂ）に示す特定位置）に大入賞口扉７ｂがあるときには、該特定位置とは異なる所定位置（例えば、図１０（Ａ）に示す開放状態／図２１（Ａ）に示す開放状態）に大入賞口扉７ｂがあるときに比較して前記接触部に作用する力の作用線Ｅと回動軸７９Ｌ，７９Ｒとを結ぶ垂線の長さ（例えば、モーメントアームの寸法Ｌ２〜Ｌ４／モーメントアームの寸法Ｌ３’）が短くなる。
【０１３８】
このようにすることで、大入賞口７ａの上縁部５０１ａとの間に遊技球Ｐが挟まる可能性がある特定位置に大入賞口扉７ｂがあるときには、該特定位置とは異なる所定位置に前記可動部材があるときに比較して接触点Ｐ２，Ｐ３，Ｐ４にそれぞれ作用する力の作用線Ｅと回動軸７９Ｌ，７９Ｒとを結ぶ垂線の長さ、つまり、モーメントアームの寸法Ｌ２，Ｌ３，Ｌ４が所定位置におけるモーメントアームの寸法Ｌ１よりも短くなる（Ｌ１＞Ｌ２＞Ｌ３＞Ｌ４）ので、大入賞口７ａの上縁部５０１ａと大入賞口扉７ｂとの間に遊技球Ｐが挟まることを好適に防止できる。具体的には、特定位置での大入賞口扉７ｂの閉まる力（トルク）が所定位置での大入賞口扉７ｂの閉まる力よりも小さくなるため、大入賞口７ａの上縁部５０１ａと大入賞口扉７ｂとの間に遊技球Ｐが挟まりにくくなる。
【０１３９】
また、本発明の実施例としてのパチンコ遊技機１にあっては、遊技球Ｐが進入可能な進入口（例えば、大入賞口７ａ）と、前記進入口を遊技球Ｐが進入し易い第１状態（例えば、図１０（Ａ）に示す開放状態／図２１（Ａ）に示す開放状態）と進入不能または進入困難な第２状態（例えば、図１２に示す閉鎖状態）とに変化させるための大入賞口扉７ｂと、駆動手段（例えば、ソレノイド７４、連結部材７５等）と、前記駆動手段の動力を大入賞口扉７ｂに伝達するために大入賞口扉７ｂに設けられた被伝達部（例えば、連結軸７８／連結軸７８１）に接触して力を付与することが可能な伝達部材（例えば、キャッチ部７６ｃ／伝達部材７６１）と、を備え、大入賞口扉７ｂは、前記伝達部材により伝達された前記駆動手段の動力により、前記進入口が開放状態と閉鎖状態とに変化するように回動軸７９Ｌ，７９Ｒを中心として回動可能であり、大入賞口扉７ｂの回動軸７９Ｌ，７９Ｒを中心とする回動に応じて、前記被伝達部と前記伝達部材との接触部（例えば、接触点Ｐ１〜Ｐ５／接触点Ｐ１’，Ｐ３’）は変位するものであり、前記進入口が前記第１状態から前記第２状態へ変化するときにおいて大入賞口扉７ｂと前記進入口の周縁部（例えば、上縁部５０１ａ）との間に遊技球Ｐが挟まる可能性がある特定位置（例えば、図１０（Ｂ）に示す第１特定位置、図１１（Ａ）に示す第２特定位置、図１１（Ｂ）に示す第３特定位置／図１８（Ａ）（Ｂ）に示す特定位置／図２０（Ａ）に示す特定位置／図２１（Ｂ）に示す特定位置）に大入賞口扉７ｂがあるときは、該特定位置とは異なる所定位置（例えば、図１０（Ａ）に示す開放状態／図２１（Ａ）に示す開放状態）に大入賞口扉７ｂがあるときと比較して前記接触部に作用する力の作用線Ｅと回動軸７９Ｌ，７９Ｒとを結ぶ垂線の長さ（例えば、モーメントアームの寸法Ｌ２〜Ｌ４／モーメントアームの寸法Ｌ３’）が短くなる。
【０１４０】
このようにすることで、大入賞口７ａの上縁部５０１ａとの間に遊技球Ｐが挟まる可能性がある特定位置に大入賞口扉７ｂがあるときには、該特定位置とは異なる所定位置に前記可動部材があるときに比較して接触点Ｐ２，Ｐ３，Ｐ４にそれぞれ作用する力の作用線Ｅと回動軸７９Ｌ，７９Ｒとを結ぶ垂線の長さ、つまり、モーメントアームの寸法Ｌ２，Ｌ３，Ｌ４が所定位置におけるモーメントアームの寸法Ｌ１よりも短くなる（Ｌ１＞Ｌ２＞Ｌ３＞Ｌ４）ので、大入賞口７ａの上縁部５０１ａと大入賞口扉７ｂとの間に遊技球Ｐが挟まることを好適に防止できる。具体的には、特定位置での大入賞口扉７ｂの閉まる力（トルク）が所定位置での大入賞口扉７ｂの閉まる力よりも小さくなるため、大入賞口７ａの上縁部５０１ａと大入賞口扉７ｂとの間に遊技球Ｐが挟まりにくくなる。
【０１４１】
特に、タイミングｔ４（図１１（Ｂ）参照）のときには、大入賞口扉７ｂが開放位置から閉鎖位置に回動する範囲においてモーメントアームの長さが最も短い寸法Ｌ４となっており、大入賞口扉７ｂの閉まる力が極めて小さいため、流下する遊技球Ｐにより大入賞口扉７ｂが開放位置方向に大きく押し広げられやすく、且つ大入賞口扉７ｂが開放位置方向に押し広げられた後、球噛みを生じさせることなく、そのまま大入賞通路７２内に流入させることができる。
【０１４２】
また、連結軸７８は、断面視形状が非円形をなす柱状部であり、キャッチ部７６ｃは連結軸７８の周面７８ａに接触可能である。このようにすることで、大入賞口７ａの周縁部と大入賞口扉７ｂとの間に遊技球Ｐが挟まることを好適に防止できる。具体的には、連結軸７８の周面７８ａは、前後方向に緩やかな曲率で延びる断面視円弧状を成し、連結軸７８が回動軸７９Ｌ，７９Ｒを中心として回動することで、接触点Ｐ１〜Ｐ５が変化するため、各タイミングでのモーメントアームの長さを変更できるようになっている。特に、大入賞口７ａの周縁部との間に遊技球Ｐが挟まる可能性がある特定位置に大入賞口扉７ｂがあるときには、モーメントアームの寸法Ｌ２，Ｌ３，Ｌ４が所定位置に大入賞口扉７ｂがあるときのモーメントアームの寸法Ｌ１よりも短くなるようにできる。
【０１４３】
尚、前記実施例では、連結軸７８の周面７８ａの形状により大入賞口扉７ｂが特定位置にあるときのモーメントアームの寸法Ｌ２，Ｌ３，Ｌ４が所定タイミングにあるときのモーメントアームの寸法Ｌ１よりも短くなる形態を例示したが、本発明はこれに限定されるものではなく、例えば、伝達部材において被伝達部と接触可能な部位の形状により、特定位置に大入賞口扉７ｂがあるときには、該特定位置とは異なる所定位置に大入賞口扉７ｂがあるときに比較して前記垂線の長さが短くなるようにしてもよい。
【０１４４】
具体的には、本発明の変形例３のように、連結軸７８１を挿入可能な縦長のスリット７６１ａを有する伝達部材７６１を用いることにより、大入賞口扉７ｂが所定位置にあるとき（図２１（Ａ）参照）のモーメントアームの寸法Ｌ１’よりも、大入賞口扉７ｂが特定位置（図２１（Ｂ）参照）にあるときのモーメントアームの寸法Ｌ３’を短くすることができる。
【０１４５】
また、大入賞口７ａが閉鎖状態に変化したとき（例えば、図１２のとき）には、第１特定位置、第２特定位置、第３特定位置のいずれかに大入賞口扉７ｂがあるときに比較して前記垂線の長さが長くなる。このようにすることで、大入賞口扉７ｂが第１特定位置、第２特定位置、第３特定位置のいずれかにあるとき（図１１（Ｂ）のとき）よりも閉鎖状態に変化したときの大入賞口扉７ｂの閉まる力が大きくなり、大入賞口７ａが閉鎖状態に変化したら開放状態に変化し難くなるので、振動や不正な外力により開放状態に変化してしまうことを抑制できる。
【０１４６】
また、大入賞口７ａが開放状態に変化したときには、前記所定位置（例えば、図１０（Ａ）に示す開放位置／図２１（Ａ）に示す開放位置）に大入賞口扉７ｂがあるため、大入賞口７ａの上縁部５０１ａと大入賞口扉７ｂとの間に遊技球Ｐが挟まることを好適に防止できる。具体的には、大入賞口７ａの開口領域が大きく確保されるため、大入賞口７ａが開放状態のときに、大入賞口７ａの上縁部５０１ａと大入賞口扉７ｂとの間に遊技球Ｐが挟まることがない。
【０１４７】
また、大入賞口７ａの周縁部において、大入賞口７ａが閉鎖状態に変化したときに大入賞口扉７ｂの先端縁部７ｈに対応する上縁部５０１ａから突出する突出部５０１Ａを備え、突出部５０１Ａは、上縁部５０１ａに沿って該上縁部５０１ａよりも短寸となるように設けられている。このようにすることにより、突出部５０１Ａと上縁部５０１ａとの間に遊技球Ｐが挟まっても突出部５０１Ａが途中でなくなるので、突出部５０１Ａと平坦部５０１Ｂとの段差５０１ｂを越えたときに、大入賞口扉７ｂと突出部５０１Ａとの間での遊技球Ｐの狭持が解消され、且つ平坦部５０１Ｂと遊技球Ｐとの間で隙間が形成されることで該遊技球Ｐが落下するため、大入賞口７ａの上縁部５０１ａと大入賞口扉７ｂとでの球噛みが解消される。つまり、大入賞口７ａの上縁部５０１ａと大入賞口扉７ｂとの間に遊技球Ｐが挟まることを好適に防止できる。
【０１４８】
尚、前記実施例では、ソレノイド７４、連結部材７５、連結軸７８、キャッチ部７６ｃ等からなる開閉駆動機構７３を用いて大入賞口扉７ｂを動作させる形態を例示したが、本発明はこれに限定されるものではなく、大入賞口扉７ｂを回動可能に動作させることができるものであれば、大入賞口扉７ｂを動作させる機構は上記開閉駆動機構７３に限定されるものではなく、自由に変更することができる。
【０１４９】
また、前記実施例では、ソレノイド７４の動力を大入賞口扉７ｂに伝達するために該大入賞口扉７ｂに設けられた被伝達部としての連結軸７８に接触して力を付与することが可能な伝達部材として駆動力伝達部材７６（キャッチ部７６ｃ）を適用した形態を例示したが、本発明はこれに限定されるものではなく、伝達部材を駆動力伝達部材７６でなく連結部材７５としてもよい。また、被伝達部を連結軸７８ではない他の軸部としてもよい。
【０１５０】
また、前記実施例では、特定位置とは異なる所定位置として、図１０（Ａ）に示す閉鎖位置とした形態を例示したが、本発明はこれに限定されるものではなく、所定位置は、大入賞口７ａの上縁部５０１ａと大入賞口扉７ｂとの間に遊技球Ｐが挟まる可能性がある特定位置以外の位置であればよく、例えば、大入賞口７ａが開放状態に変化したときの閉鎖位置を所定位置としてもよい。つまり、球噛みが発生する可能性がある第１特定位置から第３特定位置までの回動範囲外の任意の位置を所定位置としてもよい。
【０１５１】
また、前記実施例では、大入賞口扉７ｂが開放位置から閉鎖位置の直前の位置に変化するまでモーメントアームの長さが漸次短くなるように変化する形態を例示したが、特定位置でのモーメントアームの長さが所定位置でのモーメントアームの長さより短くなっていればよく、第１特定位置から第３特定位置までの回動範囲におけるモーメントアームの長さや、第１特定位置から第３特定位置までの回動範囲外におけるモーメントアームの長さの変化は自由に設定してもよい。
【０１５２】
また、前記実施例では、遊技球Ｐが進入可能な進入口の一例として、遊技盤面２ａに沿うように形成された大入賞口７ａを適用した形態を例示したが、本発明はこれに限定されるものではなく、遊技球Ｐが進入可能な進入口は、上記大入賞口７ａのように遊技盤面２ａに沿うように形成されたものに限定されるものではなく、例えば、所謂チューリップ型の可変入賞装置のように、遊技盤面２ａに突出するように設けた進入口形成部材に設けた進入口でもよく、この場合、可動部材を、進入口が遊技球が進入し易い第１状態と進入不能または進入困難な第２状態とに変化するように遊技盤面に直交する軸部を中心として回動可能に設け、この可動部材におけるモーメントアームの関係を前記実施例のようにすればよい。
【０１５３】
また、前記実施例では、普通入賞球装置６Ａ、普通可変入賞球装置６Ｂ及び特別可変入賞球装置７は、入賞ユニット５００に組付けられた形態を例示したが、遊技盤２の所定位置に別々に設けられていてもよい。また、普通入賞球装置６Ａ、普通可変入賞球装置６Ｂ及び特別可変入賞球装置７は、遊技盤２における右側下部に配設される形態を例示したが、遊技盤２におけるいずれの位置に設けられていてもよい。例えば、遊技盤２における左側下部や中央部、左側上部等自由に配設することができる。
【０１５４】
以上、本発明の実施例を図面により説明してきたが、具体的な構成はこれら実施例に限られるものではなく、本発明の要旨を逸脱しない範囲における変更や追加があっても本発明に含まれる。
【０１５５】
前記実施例では、遊技機の一例としてパチンコ遊技機が適用されていたが、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。
【０１５６】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【０１５７】
また、パチンコ遊技機やスロットマシンにおいて、例えば、前記実施例に記載した大入賞口７ａを有する特別可変入賞球装置７を、演出用に用いる演出球が進入可能な進入口を有する可変進入装置とし、該可変入賞装置に本発明を適用すればよい。
【符号の説明】
【０１５８】
１        パチンコ遊技機
７ａ      大入賞口
７ｂ，７ｂ’  大入賞口扉
６１      第２始動入賞口
７２ａ    誘導壁部
７６ｃ    キャッチ部
７８，７８’  連結軸
７８ａ    周面
７９Ｌ，７９Ｒ  回動軸
５００    入賞ユニット
５０１Ａ  突出部
５０１ａ  上縁部
【図１】
2018175298.tif 000003
【図２】
2018175298.tif 000004
【図３】
2018175298.tif 000005
【図４】
2018175298.tif 000006
【図５】
2018175298.tif 000007
【図６】
2018175298.tif 000008
【図７】
2018175298.tif 000009
【図８】
2018175298.tif 000010
【図９】
2018175298.tif 000011
【図１０】
2018175298.tif 000012
【図１１】
2018175298.tif 000013
【図１２】
2018175298.tif 000014
【図１３】
2018175298.tif 000015
【図１４】
2018175298.tif 000016
【図１５】
2018175298.tif 000017
【図１６】
2018175298.tif 000018
【図１７】
2018175298.tif 000019
【図１８】
2018175298.tif 000020
【図１９】
2018175298.tif 000021
【図２０】
2018175298.tif 000022
【図２１】
2018175298.tif 000023